(57)【要約】      （修正有）【課題】蓋体の区画室に蓄熱パックを装入した食品容器を提供する。【解決手段】蓋体３の区画室９に装入した蓄熱パック１０を着脱自在に固定する手段１１は、蓋体３の横断方向の対向位置で前記リブ壁に形成された舌片２３と、該舌片２３に対して着脱自在に架設される係止バー２４とから構成されている。係止バー２４は、蓄熱パック１０の平面部１８を保持する保持部２５と、該保持部２５の両端から蓄熱パック１０の側面部１９に沿うように折曲された折曲片２６と、該折曲片２６から外向きに断面ほぼＵ形の折返部２７を介して折返された揺動片２８と、該揺動片２８の先端部に設けられた摘み部２９を備え、前記折曲片２６及び揺動片２８を蓄熱パック１０の外周面と前記舌片２３の間の隙間に挿入したとき相互に係止する係止爪２８ａ、２３ａが揺動片２８と舌片２３に設けられている。【選択図】図３
2011020680.tif 000002
【特許請求の範囲】
【請求項１】
上部に開口部を有する容器本体(1)と、該容器本体の開口部を閉蓋する蓋体(3)とから成り、該蓋体に周設したパッキン(8)を容器本体の開口縁に密着させた状態で該蓋体を開蓋不能に係止する係止手段(13)を設けた食品容器であり、
前記蓋体(3)は、前記パッキンの収納溝(7)を形成するリブ壁(6)により囲まれた皿状の区画室(9)を形成し、該区画室に蓄熱パック(10)を装入した状態で固定保持する着脱固定手段(11)を設けた構成において、
前記着脱固定手段(11)は、蓋体(3)の横断方向の対向位置で前記リブ壁に形成された舌片(23,23)と、該舌片に対して着脱自在に架設される係止バー(24)とから成り、
前記係止バー(24)は、前記横断方向に配置されることにより蓄熱パック(10)の平面部(18)を保持する保持部(25)と、該保持部(25)の両端から蓄熱パック(10)の側面部(19)に沿うように折曲された折曲片(26,26)と、該折曲片(26)から外向きに断面ほぼＵ形の折返部(27)を介して折返された揺動片(28)と、該揺動片(28)の先端部に設けられた摘み部(29)を備え、前記折曲片(26)及び揺動片(28)を蓄熱パック(10)の外周面と前記舌片(23)の間の隙間(S)に挿入するように構成され、前記揺動片(28)と舌片(23)の相互に係止爪(28a)(23a)を設けており、
前記折返部(27)の弾性変形を介して揺動片(28)及び折曲片(26)を前記隙間(S)に挿入したとき、前記係止爪(28a)(23a)を係止することにより揺動片(28)を抜止め状態に係止すると共に、前記摘み部(29)を前記隙間(S)から突出して配置し、
前記摘み部(29)を介して揺動片(28)を折曲片(26)に向けて揺動させたとき、前記係止爪(28a)(23a)の係止が解除されるように構成して成ることを特徴とする食品容器。
【請求項２】
前記係止バー(24)は、可撓性樹脂により形成され、保持部(25)と折曲片(26)を鋭角θ１に折曲形成すると共に、折曲片(26)と揺動片(28)を折返部(27)から角度θ２で広がるように形成しており、
前記揺動片(28)及び折曲片(26)を前記隙間(S)に挿入したとき、折曲片(26)が蓄熱パックの側面部(19)に弾接され、揺動片(28)が舌片(23)に弾接されるように構成して成ることを特徴とする請求項１に記載の食品容器。
【請求項３】
前記係止バー(24)は、可撓性樹脂により形成され、前記保持部(25)を両端部から中央部に向けて次第に蓄熱パックから離反する方向に湾曲する円弧形状に形成して成ることを特徴とする請求項１又は２に記載の食品容器。
【請求項４】
前記蓄熱パック(10)は、前記横断方向に向けて平面部(18)から側面部(19)に延びる凹部(20)を形成し、平面部(18)の凹部(20)により前記係止バー(24)の保持部(25)を嵌入させる平面嵌入部(21)を構成し、側面部(19)の凹部(20)により前記隙間(S)を構成すると共に前記係止バー(24)の折曲片(26)を嵌入させる側面嵌入部(22)を構成して成ることを特徴とする請求項１、２又は３に記載の食品容器。
【発明の詳細な説明】
【技術分野】
【０００１】
本発明は、弁当箱、食品保存容器、その他の食品容器に関する。
【背景技術】
【０００２】
保冷を目的とした食品容器に関して、本出願人は、下記の特許文献１に記載の食品容器を提案した。この食品容器は、容器本体を施蓋する蓋体にシールパッキンを収納する溝を形成した構成において、前記溝を形成するリブ壁の内周空間に区成した区画室にカセット状の保冷パックを装着し、前記リブ壁に形成した保持爪を保冷パックの周縁に着脱自在に係止するように構成している。この際、保冷パックの周縁に凹部を形成し、ユーザが該凹部を介して指先で保冷パックを容易に摘むことが可能となるように構成されている。
【先行技術文献】
【特許文献】
【０００３】
【特許文献１】特許第２８７９２０４号公報
【特許文献２】特開２００８−２８１２５１号公報
【発明の概要】
【発明が解決しようとする課題】
【０００４】
従来技術の場合、保冷パックを蓋体の区画室に押し込み、保持爪を保冷パックの周縁に直接係止させる構成であるから、保冷パックをワンタッチで装着可能とする。しかしながら、保冷パックを保持爪により抜止め状に係止できるが、該保冷パックが区画室の内部でガタツキを生じるおそれがある。
【０００５】
また、食品容器は、衛生上、細部にわたり洗浄することが求められるが、前記保冷パックを区画室から取り出し、蓋体と保冷パックを分離するためには、前記凹部を指で摘み、強く引き抜かなければ前記保持爪が外れないので、婦女子に酷な作業を強いることになる。
【課題を解決するための手段】
【０００６】
本発明は、蓋体の区画室に蓄熱パックを収納し又は取り出す際に、その作業が容易であり、しかも、収納状態の蓄熱パックがガタツキを生じることなく好適に保持されるようにした食品容器を提供するものである。
【０００７】
そこで、本発明が手段として構成したところは、上部に開口部を有する容器本体と、該容器本体の開口部を閉蓋する蓋体とから成り、該蓋体に周設したパッキンを容器本体の開口縁に密着させた状態で該蓋体を開蓋不能に係止する係止手段を設けた食品容器であり、前記蓋体は、前記パッキンの収納溝を形成するリブ壁により囲まれた皿状の区画室を形成し、該区画室に蓄熱パックを装入した状態で固定保持する着脱固定手段を設けた構成において、前記着脱固定手段は、蓋体の横断方向の対向位置で前記リブ壁に形成された舌片と、該舌片に対して着脱自在に架設される係止バーとから成り、前記係止バーは、前記横断方向に配置されることにより蓄熱パックの平面部を保持する保持部と、該保持部の両端から蓄熱パックの側面部に沿うように折曲された折曲片と、該折曲片から外向きに断面ほぼＵ形の折返部を介して折返された揺動片と、該揺動片の先端部に設けられた摘み部を備え、前記折曲片及び揺動片を蓄熱パックの外周面と前記舌片の間の隙間に挿入するように構成され、前記揺動片と舌片の相互に係止爪を設けており、前記折返部の弾性変形を介して揺動片及び折曲片を前記隙間に挿入したとき、前記係止爪を係止することにより揺動片を抜止め状態に係止すると共に、前記摘み部を前記隙間から突出して配置し、前記摘み部を介して揺動片を折曲片に向けて揺動させたとき、前記係止爪の係止が解除されるように構成して成る点にある。
【０００８】
本発明の実施形態において、前記係止バーは、可撓性樹脂により形成され、保持部と折曲片を鋭角θ１に折曲形成すると共に、折曲片と揺動片を折返部から角度θ２で広がるように形成し、前記揺動片及び折曲片を前記隙間に挿入したとき、折曲片が蓄熱パックの側面部に弾接され、揺動片が舌片に弾接されるように構成している。
【０００９】
また、前記係止バーは、可撓性樹脂により形成され、前記保持部を両端部から中央部に向けて次第に蓄熱パックから離反する方向に湾曲する円弧形状に形成されることが好ましい。
【００１０】
更に、前記蓄熱パックは、前記横断方向に向けて平面部から側面部に延びる凹部を形成し、平面部の凹部により前記係止バーの保持部を嵌入させる平面嵌入部を構成し、側面部の凹部により前記隙間を構成すると共に前記係止バーの折曲片を嵌入させる側面嵌入部を構成することが好ましい。
【発明の効果】
【００１１】
請求項１に記載の本発明によれば、蓋体３の区画室９に蓄熱パック１０を装入した状態で、係止バー２４の揺動片２８及び折曲片２６を隙間Ｓに挿入すると、折返部２７の弾性変形を介して揺動片２８が揺動しつつ舌片２３に沿って挿入され、係止爪２８ａ、２３ａを相互に係止する。あるいは、区画室９の外部で蓄熱パック１０の平面部１８に係止バー２４の保持部２５を沿わせた状態で、該蓄熱パック１０を区画室９に装入させると共に同時に揺動片２８及び折曲片２６を隙間Ｓに挿入すると、前記と同様に揺動片２８が揺動しつつ舌片２３に沿って挿入され、係止爪２８ａ、２３ａを相互に係止する。従って、ほぼワンタッチの作業で、区画室９に対する蓄熱パック１０の装入と抜止め係止を行うことができる。
【００１２】
この際、区画室９に装入された蓄熱パック１０は、係止バー２４の保持部２５により平面部１８を保持されるだけでなく、隙間Ｓの内部で折曲片２６と揺動片２８が折返部２７の弾性を介して押し広げられるので、折曲片２６により側面部１９を好適に保持される。従って、蓄熱パック１０のガタツキのない保持が可能になる。
【００１３】
そして、洗浄等のために、蓄熱パック１０を区画室９から取り出し、蓋体３と蓄熱パック１０を分離する必要があるときは、隙間Ｓから突出した摘み部２９を指先で摘み、揺動片２８を折曲片２６に向けて揺動させれば係止爪２８ａ、２３ａの係止が解除されるので、作業を簡単容易に行うことができる。
【００１４】
請求項２に記載の本発明によれば、可撓性を有する係止バー２４は、蓄熱パック１０の平面部１８に沿わされた保持部２５に対して、折曲片２６を鋭角θ１から押し広げられた状態で蓄熱パック１０の側面部１９に沿わされる。従って、折曲片２６は、弾力を蓄積した状態で蓄熱パック１０の側面部１９に弾接するので、蓄熱パック１０の側面部１９を好適に保持することが可能となる。
【００１５】
そして、揺動片２８は、折曲部２６に対する角度θ２を押し狭められた状態で舌片２３に沿わされる。従って、揺動片２８は、弾力を蓄積した状態で舌片２３に弾接するので、係止爪２８ａ、２３ａの係止を強固とする。
【００１６】
請求項３に記載の本発明によれば、係止バー２４の保持部２５が両端部から中央部に向けて湾曲する円弧形状に形成されているので、前述のように、折曲片２６を押し広げながら蓄熱パック１０の側面部１９に弾接させる際、円弧部が曲率半径を大きくする方向に変形され、これにより折曲片２６の押し広げ方向への姿勢変更を助け、折曲片２６の押し込みのために必要とされる力を軽減すると共に、折曲片２６の折曲部分の疲労を防止する。
【００１７】
請求項４に記載の本発明によれば、蓄熱パック１０は、横断方向に向けて平面部１８から側面部１９に延びる凹部２０を形成し、平面部１８の凹部２０により前記係止バー２４の保持部２５を嵌入させる平面嵌入部２１を構成しているので、該保持部２５により平面部１８を好適に保持される。
【００１８】
しかも、側面部１９の凹部２０により、折曲片２６及び揺動片２８を挿入するための隙間Ｓを構成するので、該凹部２０が設けられた部分以外の蓄熱パック１０の全周をリブ壁６に沿わせるように形成することができ、これにより、蓄熱パック１０を可及的大容量とすることが可能になり、しかも、蓄熱パック１０の周面とリブ壁６の間に大きな隙間を生じることもなく、見栄えが良い。
【００１９】
そして、側面部１９の凹部２０により係止バー２４の折曲片２６を嵌入させる側面嵌入部２２が構成されるので、折曲片２６による蓄熱パックの保持効果が高い。
【図面の簡単な説明】
【００２０】
【図１】本発明の第１実施形態に係る食品容器の全体を示す斜視図である。
【図２】本発明の第１実施形態に係る食品容器に関して、容器本体と蓋体を分離した状態を示す斜視図である。
【図３】本発明の第１実施形態に係る食品容器に関して、蓋体と蓄熱パックと係止バーを分離した状態を示す斜視図である。
【図４】係止バーを拡大して示す斜視図である。
【図５】蓋体と蓄熱パックと係止バーを分離した状態を示す断面図である。
【図６】蓄熱パックを蓋体の区画室に装入し、係止バーにより保持した状態を示す断面図である。
【図７】本発明の第２実施形態に係る食品容器の全体を示す斜視図である。
【図８】本発明の第２実施形態に係る食品容器に関して、第１容器本体と機能皿体と第２容器本体と蓋体を分離した状態を示す斜視図である。
【図９】本発明の第２実施形態に係る食品容器に関して、蓋体と蓄熱パックと係止バーを分離した状態を示す斜視図である。
【発明を実施するための形態】
【００２１】
以下図面に基づいて本発明の好ましい実施形態を詳述する。
【００２２】
（第１実施形態）
図１ないし図６は、本発明の第１実施形態に係る食品容器を示している。食品容器として、図例の場合は弁当箱を示しているが、密封される食品保存容器や、その他の種々の食品容器でも良い。
【００２３】
食品容器は、上部に開口部２を有する容器本体１と、該容器本体１の開口部２を閉蓋する蓋体３とから構成されている。
【００２４】
蓋体３は、図３に示すように、蓋壁４の周縁に位置して周方向に延設された外周壁５と内周側のリブ壁６の間に形成した収納溝７に嵌入されたパッキン８を周設し、前記蓋壁４の内側に前記リブ壁６により囲まれた皿状の区画室９を形成しており、該区画室９に蓄熱パック１０を装入するように構成され、該蓄熱パック１０を装入した状態で固定保持する着脱固定手段１１を設けている。
【００２５】
蓋体３は、前記パッキン８を容器本体１の開口縁１２に密着した状態で、該蓋体３を開蓋不能に係止する係止手段１３を設けている。図例の場合、係止手段１３は、蓋体３の横断方向Ｘの対向位置に回動自在に設けられた係止翼片１４と、前記容器本体１の開口縁１２に形成されたフランジ１５により構成され、係止翼片１４を容器本体１の周壁１６に向けて回動したとき、該係止翼片１４の爪部１７を前記フランジ１５に係止させるように構成されている。尚、閉蓋状態において、蓋体３は、リブ壁６を容器本体１の開口縁１２に内嵌すると共に、パッキン８を開口縁１２に密着させる。
【００２６】
蓄熱パック１０は、前記皿状の区画室９に装入される盤状のカセット状容器により構成され、内部に蓄熱剤を充填している。従って、蓄熱剤を保冷剤とする場合は、食品容器を保冷することが可能であり、蓄熱剤を保温剤とする場合は、食品容器を保温することが可能であり、保冷と保温の何れかを選択すれば良い。
【００２７】
蓄熱パック１０を構成する盤状のカセット状容器は、区画室９に装入された状態で蓋壁４の反対側に露出させられる平面部１８と、リブ壁６に内嵌される側面部１９を有しており、前記横断方向Ｘに向けて平面部１８から側面部１９に延びる凹部２０を形成し、平面部１８を横断する凹部２０により平面嵌入部２１を形成すると共に、側面部１９に延設された凹部２０により側面嵌入部２２を構成する。
【００２８】
蓄熱パック１０を固定保持する着脱固定手段１１は、前記横断方向Ｘの対向位置で蓋体３のリブ壁６に形成された舌片２３、２３と、該舌片に対して着脱自在に架設される係止バー２４により構成されている。
【００２９】
舌片２３は、図例の場合、リブ壁６を２本１組のスリット６ａ、６ａで分断することにより、該スリット６ａ、６ａの間に形成されており、前記横断方向Ｘに僅かでも揺動可能に構成することが好ましいが、揺動不能に構成しても良い。
【００３０】
係止バー２４は、可撓性樹脂により形成され、前記平面嵌入部２１に嵌入されることにより蓄熱パック１０の平面部１８を保持する帯板状の保持部２５と、該保持部２５の両端から折曲されることにより前記側面嵌入部２２に嵌入される折曲片２６と、該折曲片２６から外向きに断面ほぼＵ形の折返部２７を介して折返された揺動片２８と、該揺動片２８を延長した先端部に設けられた摘み部２９を備えている。
【００３１】
前記蓄熱パック１０の側面嵌入部２２、２２と、蓋体３の舌片２３、２３と、係止バー２４の揺動片２８、２８は、前記横断方向Ｘに関して相互に対向するように配置されており、対向する１組の揺動片２８と舌片２３の相互にそれぞれ係止爪２８ａ、２３ａが設けられている。
【００３２】
図５に示すように、係止バー２４の保持部２５は、両端から中央部に向けて蓄熱パック１０から離反する方向に湾曲する円弧形状に形成され、保持部２５と折曲片２６を鋭角θ１（従ってθ１＜９０度）に折曲形成し、折曲片２６と揺動片２８を折返部２７から角度θ２でほぼＶ形となるように広がるように形成している。尚、保持部２５の両側縁にリブ３０、３０を形成することが好ましい。
【００３３】
そこで、蓄熱パック１０を蓋体３の区画室９に装入し、係止バー２４により固定保持させるためには、蓋体３の区画室９に蓄熱パック１０を装入した後、係止バー２４の揺動片２８及び折曲片２６を蓄熱パック１０の側面嵌入部２２、２２に挿入する（第１方法）、又は、区画室９の外部で蓄熱パック１０の平面嵌入部２１に係止バー２４の保持部２５を嵌入した後、該蓄熱パック１０を区画室９に装入しながら同時に係止バー２４の揺動片２８及び折曲片２６を舌片２３に沿って挿入する（第２方法）、何れでも良いが、これにより揺動片２８の係止爪２８ａが舌片２３の係止爪２３ａにワンタッチで係止される。
【００３４】
換言すると、図６に示すように、区画室９の内部で、蓄熱パック１０の側面部１９と舌片２３の間には、前記側面嵌入部２２を含む隙間Ｓが形成されるので、該隙間Ｓに折曲片２６と揺動片２８が挿入され、揺動片２８と舌片２３の係止爪２８ａ、２３ｂを相互に係止する。この際、揺動片２８は、図示矢印Ｐ２で示すように、前記角度θ２を押し狭められた状態で舌片２３に沿わされるので、弾力を蓄積した状態で該揺動片２８を舌片２３に弾接し、係止爪２８ａ、２３ａを強固に係止する。
【００３５】
ところで、前記第１方法又は第２方向に関して、係止バー２４は、保持部２５を蓄熱パック１０の平面嵌入部２１に嵌入させると共に、折曲片２６、２６を蓄熱パック１０の側面嵌入部２２、２２に嵌入させる際、折曲片２６、２６は、図示矢印Ｐ１で示すように、前記鋭角θ１から押し広げられた状態で側面嵌入部２２に沿わされるので、弾力を蓄積した状態で該折曲片２６を蓄熱パック１０の側面嵌入部２２に弾接し、蓄熱パック１０の側面部１９を好適に保持する。
【００３６】
このように折曲片２６、２６が矢印Ｐ１の方向に押し広げられるとき、係止バー２４の保持部２５が円弧形状に形成されているので、該円弧部が曲率半径を大きくする方向に変形されることにより、折曲片２６、２６の押し広げ方向Ｐ１への姿勢変更を助け、折曲片２６、２６の押し込みのために必要とされる力を軽減する。また、これにより折曲片２６の折曲部分の疲労が軽減される。
【００３７】
図６に示すように、蓄熱パック１０を区画室９に装入し、係止バー２４を固定した状態で、摘み部２９が隙間Ｓから突出している。従って、係止バー２４を取り外すことにより蓄熱パック１０を蓋体３から分離する場合は、摘み部２９を指先で摘み、揺動片２８を折曲片２６に向けて揺動させれば、係止爪２８ａ、２３ａが簡単に外れ、折曲片２６及び揺動片２８を引き抜くことができる。
【００３８】
（第２実施形態）
図７ないし図９は、本発明の第２実施形態に係る食品容器を示している。図例の場合、２段重ね式の弁当箱を示しているが、密封される食品保存容器や、その他の種々の食品容器としても良い。
【００３９】
食品容器は、上部に開口部２Ａを有する第１容器本体１Ａと、該容器本体１Ａの開口部２Ａに閉蓋状態で積層される機能皿体３１と、該機能皿体３１の上部に積層される第２容器本体１Ｂと、該第２容器本体１Ｂの上部の開口部２Ｂを閉蓋する蓋体３Ａとから構成されている。
【００４０】
蓋体３Ａは、図９に示すように、蓋壁４Ａの周縁に位置して周方向に延設された外周壁５Ａと内周側のリブ壁６Ａの間に形成した収納溝７Ａに嵌入されたパッキン８Ａを周設し、前記蓋壁４Ａの内側に前記リブ壁６Ａにより囲まれた皿状の区画室９Ａを形成しており、該区画室９Ａに蓄熱パック１０Ａを装入するように構成され、該蓄熱パック１０Ａを装入した状態で固定保持する複数の着脱固定手段１１Ａ、１１Ａを設けている。
【００４１】
第２実施形態は、着脱固定手段１１Ａを複数（図例では２つ）並設し、これに対応する凹部２０Ａを蓄熱パック１０Ａに同数並設している点で相違する他、着脱固定手段１１Ａと凹部２０Ａの具体的構成は、第１実施形態について説明した着脱固定手段１１と凹部２０の構成とほぼ同様であるから、上記と同じ符号を図示することにより説明を省略し、上述した説明を援用する。
【００４２】
第２実施形態の食品容器の場合、例えば、米飯を収納した第１容器本体１Ａに、箸やスプーン等の食器を収納した機能皿体３１を積層し、更に、惣菜等を収納した第２容器本体１Ｂを積層した状態で、該第２容器本体１Ｂの開口部２Ｂを蓋体３Ａにより閉蓋される。第２容器本体１Ｂの開口縁には凸リブ１２Ｂが設けられており、該凸リブ１２Ｂをパッキン８Ａに食い込み状に密着させた状態で、蓋体３Ａの長手方向両端に設けた係止手段１３Ａ、１３Ａを回動させ、第１容器本体１Ａの耳片３２、３２に嵌着することにより、該蓋体３Ａを開蓋不能に係止すると共に、前記積層状態を保持する。
【符号の説明】
【００４３】
１  容器本体
２  開口部
３  蓋体
６  リブ壁
７  収納溝
８  パッキン
９  区画室
１０  蓄熱パック
１１  着脱固定手段
１３  係止手段
１８  平面部
１９  側面部
２０  凹部
２１  平面嵌入部
２２  側面嵌入部
２３  舌片
２３ａ  係止爪
２４  係止バー
２５  保持部
２６  折曲片
２７  折返部
２８  揺動片
２８ａ  係止爪
２９  摘み部
【図１】
2011020680.tif 000003
【図２】
2011020680.tif 000004
【図３】
2011020680.tif 000005
【図４】
2011020680.tif 000006
【図５】
2011020680.tif 000007
【図６】
2011020680.tif 000008
【図７】
2011020680.tif 000009
【図８】
2011020680.tif 000010
【図９】
2011020680.tif 000011